(57)【要約】【課題】  遮水シートの端部を確実かつ容易に固定し、遮水シートの展張を容易に行う。【解決手段】  遮水シート２の両面にそれぞれ保護シート３を積層し、裏面側の保護シートの端部を遮水シートの端部よりも後退させて遮水シートの端部を下地層４の表面に直接密着させた状態で敷設し、遮水シートの表面側に積層した保護シートの端部に略全長にわたって固定プレート５を配置し、遮水シートの端部を保護シートの端部とともに固定プレートと下地層との間に挟持した状態で下地層に対して固定する。固定部全体を保護モルタル層７により被覆し、その保護モルタル層の表面を滑らかな緩凸曲面状の湾曲面とする。遮水シートと保護シートを保護モルタル層の手前側でそれぞれ切断し、そこに他のシートの端部を接続して保護モルタル層上に敷設する。【選択図】      図７
2006198585.tif 000002
【特許請求の範囲】
【請求項１】
廃棄物処分場等の施設において遮水材として敷設される遮水シートの端部を下地層に対して固定するための構造であって、
単層または複層の遮水シートの下地層側の裏面およびその反対側の表面にそれぞれ不織布シート等の保護シートが積層され、裏面側の保護シートの端部は遮水シートの端部よりも後退していて遮水シートの端部が下地層の表面に敷設され、遮水シートの表面側の保護シートの端部に略全長にわたって固定プレートが配置されて、その固定プレートにより遮水シートの端部が表面側の保護シートの端部とともに固定プレートと下地層との間に挟持された状態で下地層に対して固定され、遮水シートとその表面側の保護シートの端部および固定プレートが保護モルタル層により被覆されているとともに、保護モルタル層の表面が滑らかな緩凸曲面状の湾曲面に形成されていることを特徴とする遮水シートの固定構造。
【請求項２】
請求項１記載の遮水シートの固定構造において、遮水シートは上層遮水シートと下層遮水シートとによる複層とされてそれらの間に中間保護シートが積層され、かつ上層遮水シートと下層遮水シートの端部どうしが一体に固着され、その固着部が固定プレートと下地層との間に挟持された状態で下地層に対して固定されていることを特徴とする遮水シートの固定構造。
【請求項３】
請求項１または２記載の構造により端部が固定されている遮水シートに他の遮水シートを接続して展張するための施工方法であって、
遮水シートおよび保護シートを保護モルタル層の手前側でそれぞれ切断し、その切断部に他の遮水シートおよび保護シートの端部をそれぞれ接続して、それら他の遮水シートおよび保護シートを保護モルタル層上に敷設して展張することを特徴とする遮水シートの展張施工方法。
【発明の詳細な説明】
【技術分野】
【０００１】
本発明は、廃棄物処分場等の施設において遮水材として敷設される遮水シートの端部を下地層に対して固定するための構造、およびその構造によって端部を固定した遮水シートに他の遮水シートを接続して展張するための施工方法に関する。
【背景技術】
【０００２】
この種の施設においては、廃棄物からの滲出水や廃棄物に汚染された汚染水が施設外に漏出することを確実に防止し得る十分な遮水性能が要求されることから、従来一般にはたとえば特許文献１に示されるように合成ゴムや合成樹脂製の遮水シートを場内に隙間無く敷き詰めることで遮水層を形成することが一般的である。
【０００３】
そのような遮水シートにより遮水層を形成する場合には、下地層の表面に敷き並べた遮水シートにアンカーピン等を打ち込んで固定することが一般的であるが、単にアンカーピンを打ち込むことではそこでの遮水性能が損なわれることから、特許文献１ではアンカーピンの打込部に吸水膨潤性無機物質を付着したパッチを貼り付けることで遮水性能を確保するようにしている。
【特許文献１】特開平６−２４０６３９号公報
【発明の開示】
【発明が解決しようとする課題】
【０００４】
しかし、上記のような特殊なパッチを用いることはそのためコストと手間を要するものばかりでなく、特に遮水シートの端部にアンカーピンを打ち込むことでは、如何にパッチを用いてもそこでの遮水性能の低下が懸念される場合がある。
【０００５】
また、この種の施設を施工するに際して遮水シートを段階的に展張していく場合には、施工済みの遮水シートの端部を適宜仮止めしておいて、展張時にはそこに他の遮水シートを接続することになるのであるが、そのような展張を行うための有効適切な手法は確立されていないのが実情である。
【０００６】
上記事情に鑑み、本発明は遮水シートの端部を確実かつ容易に固定し得る有効適切な構造と、その構造により端部を固定した遮水シートを展張するための有効適切な施工方法を提供することを目的とする。
【課題を解決するための手段】
【０００７】
請求項１記載の発明は、廃棄物処分場等の施設において遮水材として敷設される遮水シートの端部を下地層に対して固定するための構造であって、単層または複層の遮水シートの下地層側の裏面およびその反対側の表面にそれぞれ不織布シート等の保護シートが積層され、裏面側の保護シートの端部は遮水シートの端部よりも後退していて遮水シートの端部が下地層の表面に敷設され、遮水シートの表面側の保護シートの端部に略全長にわたって固定プレートが配置されて、その固定プレートにより遮水シートの端部が表面側の保護シートの端部とともに固定プレートと下地層との間に挟持された状態で下地層に対して固定され、遮水シートとその表面側の保護シートの端部および固定プレートが保護モルタル層により被覆されているとともに、保護モルタル層の表面が滑らかな緩凸曲面状の湾曲面に形成されていることを特徴とする。
【０００８】
請求項２記載の発明は、請求項１記載の発明の遮水シートの固定構造において、遮水シートは上層遮水シートと下層遮水シートとによる複層とされてそれらの間に中間保護シートが積層され、かつ上層遮水シートと下層遮水シートの端部どうしが一体に固着され、その固着部が固定プレートと下地層との間に挟持された状態で下地層に対して固定されていることを特徴とする。
【０００９】
請求項３記載の発明は、請求項１または２記載の発明の構造により端部が固定されている遮水シートに他の遮水シートを接続して展張するための施工方法であって、遮水シートおよび保護シートを保護モルタル層の手前側でそれぞれ切断し、その切断部に他の遮水シートおよび保護シートの端部をそれぞれ接続して、それら他の遮水シートおよび保護シートを保護モルタル層上に敷設して展張することを特徴とする。
【発明の効果】
【００１０】
本発明の遮水シートの固定構造によれば、遮水シートの端部を固定プレートにより下地層に対して固定して固定部全体を保護モルタル層により被覆したので、そこでの遮水性能を十分に確保できるし、その施工も十分に安価かつ容易に実施できる。特に、遮水シートを下層遮水シートと上層遮水シートによる二重構造としてそれらの端部どうしを固着すればより優れた遮水性能を確保できる。
【００１１】
本発明の遮水シートの展張施工方法によれば、上記固定構造により保護モルタル層の厚みを極力薄くでき、かつその表面を滑らかな緩凸突曲面状の湾曲面としていることから、保護モルタル層を撤去せずともその上をそのまま乗り越えるようにして遮水シートおよび保護シートを支障なく展張することができる。
【発明を実施するための最良の形態】
【００１２】
図１〜図７に本発明の一実施形態を示す。図１は本発明の適用対象である廃棄物最終処分場の概要を示す。これは山間部に設置されるものであって、底面と法面の全体に遮水シートを主体とする遮水層１を形成してその内部を廃棄物の埋立区画とし、廃棄物からの滲出水やそれによる汚染水が施設外へ漏出することを遮水層１によって確実に防止するようにしたものであるが、この施設は埋立区画を段階的に拡張していくように計画されていて、図示しているように当初は一次埋立区画のみを対象として遮水層１を形成しておき、将来的には二次埋立区画まで遮水層１を拡張する計画となっているものである。本実施形態の遮水シートの固定構造および遮水シートの展張施工方法は、上記施設における遮水層１の施工に際して適用されるものであって、当初の一次埋立区画のみを施工した段階において十分な遮水性能を確保できることはもとより、将来的な二次埋立区画への遮水層の拡張を支障なく容易に行い得るようにしたものである。
【００１３】
図２は一次埋立区画に施工された遮水層１の端部（図１におけるII部）の構造を示すものである。本例における遮水層１は、２層の遮水シート２（下層遮水シート２ａおよび上層遮水シート２ｂ）を主体としてその裏面、中間、表面にそれぞれ保護シート３（下層保護シート３ａ、中間保護シート３ｂ、上層保護シート３ｃ）が積層された５層構造をなしており、モルタル層等からなる下地層４の表面に全面的に敷設されてその端部が固定プレート５を介してコンクリート釘６により下地層４に対して固定され、その固定部全体が保護モルタル層７により被覆されたものとなっている。遮水シート２（下層遮水シート２ａおよび上層遮水シート２ｂ）としては合成ゴムや合成樹脂製のものを任意に採用可能であるが、たとえば厚さ１．５ｍｍ程度の熱可塑性ゴムシートを用いることが好適である。保護シート３（下層保護シート３ａ、中間保護シート３ｂ、上層保護シート３ｃ）の素材や厚さも任意であるが、鋭利物による遮水シート２の損傷を防止し得るような厚さ１０〜２０ｍｍ程度の不織布シートが好適に採用可能であり、特に上層保護シート３ｃについては耐候性を有しかつ遮水シート２の紫外線による劣化を防止し得る遮光性を有するものが好ましい。
【００１４】
本実施形態の固定構造の詳細をその施工手順とともに図３〜図５を参照して説明する。図３に示すように、法面の表面に予め７０ｍｍ程度の厚さでモルタル等を吹き付けて下地層４を形成し、その表面を十分に平坦としておく。そして、下地層４の表面に、下層保護シート３ａ、下層遮水シート２ａ、中間保護シート３ｂ、上層遮水シート２ｂ、上層保護シート３ｃを順次積層していく。その際、下層遮水シート２ａどうしの継目と上層遮水シート２ｂどうしの継目は完全に熱融着する。また、下層保護シート３ａの端部は下層遮水シート２ａの端部よりも後退させておいて下層遮水シート２ａの端部を下地層４の表面に直接密着せしめた状態で敷設する。また、中間保護シート３ｂの端部も同様に後退させておいて、下層遮水シート２ａと上層遮水シート２ｂの端部どうしを直接密着させてそこで熱融着により固着する。上層保護シート３ｃの端部は上層遮水シート２ｂの端部に揃えておく。
【００１５】
次に、図４に示すように、上層保護シート３ｃの端部にたとえば樹脂製帯板状の固定プレート５を略全長にわたって配置し、その固定プレート５にコンクリート釘６を打ち込んで、遮水シート２の端部（すなわち下層遮水シート２ａと上層遮水シート２ｂの固着部）を上層保護シート３ｃの端部とともに固定プレート５と下地層４との間に挟持した状態で下地層４に対して固定する。なお、コンクリート釘６の打ち込みは適宜の打鋲器具により容易に行うことができるし、その打鋲間隔は適宜で良く、たとえば１５０ｍｍ程度とすれば良い。ただし、コンクリート釘６の打鋲は省略することも可能であるし、コンクリート釘６に代わる他の適宜の固定手段も採用可能である。
【００１６】
次に、上記のようにして固定した固定部の全体に対し、図５に示すようにモルタルを盛り付けあるいは吹き付けることで保護モルタル層７を形成して固定部を被覆するが、その保護モルタル層７の厚さはコンクリート釘６および固定プレート５に対して必要最小限のかぶり厚を確保できる範囲で極力薄くして下地層４からわずかに盛り上がる程度とするとともに、その表面（大気開放側すなわち下地層４に接する面とは反対側の面）を滑らかな緩凸曲面状の湾曲面に形成しておく。つまり、保護モルタル層７は下地層４より固定部に向かうにしたがって次第に厚化し、固定部近傍より次第に薄化する肉厚を有し、遮水層１の厚みに応じて肉厚最大高さを設定し、固定部近傍で対称となるような緩凸曲面状となるのが望ましい。なお、上層保護シート３ｃ上に盛られる保護モルタル層７によって上層保護シート３ｃが傷付くことのないように、保護モルタル層７の上層保護シート３ｃ側の端部には滑らかな切欠部８を形成しておくと良い。
【００１７】
上記構造によれば、遮水シート２の端部を固定プレート５を介してコンクリート釘６により下地層４に対して確実強固に固定できることはもとより、その固定部全体を保護モルタル層７により被覆したのでそこでの遮水性能を損なうこともない。特に、遮水シート２を下層遮水シート２ａと上層遮水シート２ｂによる複層としたので優れた遮水性能を確保できることはもとより、それら下層遮水シート２ａと上層遮水シート２ｂの端部どうしを熱融着により固着しているのでそれらの間に水が浸入することもない。勿論、遮水シート２は保護シート３により保護されつつ、下層遮水シート２ａの端部のみは下地層４の表面に直接的に密着する状態で敷設されて固定プレート５により下地層４に強固に押圧されるから、その裏面側への水の浸入も防止できる。しかも、固定プレート５による固定部においては上層遮水シート２ｂの表面に上層保護シート３ｃが積層されて保護されているので、固定プレート５を配置したりコンクリート釘６を打鋲する際に上層遮水シート２ｂを傷付けてしまう懸念もない。また、上記の作業に際しては何等面倒な作業や特殊な部材、器具類を必要とせず、安価な資材である単なる樹脂製帯板状の固定プレート５とコンクリート釘６および汎用の打鋲器具を用いることのみで容易にかつ安価に施工することができる。
【００１８】
以上で本発明の遮水シートの固定構造についての実施形態を説明したが、次に本発明の遮水シートの展張施工方法の実施形態について図６〜図７を参照して説明する。本実施形態の展張施工方法は、上記の構造によって端部が固定されている遮水シート２に対して他の遮水シート２を接続して二次埋立区画に展張する場合の適用例であって、図６に示すように保護モルタル層７の手前側において全てのシート（下層保護シート３ａ、下層遮水シート２ａ、中間保護シート３ｂ、上層遮水シート２ｂ、上層保護シート３ｃ）を上層側のものから順次切断する。その際、図示しているように各シートの切断位置を段階的に若干ずらしておくと後段での作業性が良いし、各シートの接続部どうしが直接重ならないように接続位置をずらすことができる。
【００１９】
そして、図７に示すように、切断したそれぞれのシートに対して展張するべき他のシートの端部を熱溶着等により順次接続していき、接続した各シートをそのまま保護モルタル層７の上を乗り越えさせるようにして敷設する。それら他のシートの他端部は適宜構造で固定することでも良いが、そこにさらに他のシートを接続してさらなる展張が予定されている場合には上記と同様の構造で固定しておけば良い。
【００２０】
既に述べたように保護モルタル層７の厚みは極力薄くされてその表面は滑らかな緩凸突曲面状の湾曲面として形成されていることから、本実施形態の展張施工方法のように保護モルタル層７を撤去せずにその上をそのまま乗り越えるようにして各シートを支障なく敷設することが可能であり、したがって展張作業を効率的かつ容易に実施することができる。勿論、保護モルタル層７と下層遮水シート２ａとの間には下層保護シート３ａをそのまま積層するので、保護モルタル層７を乗り越える下層遮水シート２ａがその保護モルタル層７によって損傷を受けてしまうようなこともない。
【００２１】
以上で本発明の実施形態を説明したが、上記実施形態はあくまで好適な一例に過ぎず、本発明は上記実施形態に限定されることなく適宜の設計的変更が可能である。たとえば、上記実施形態では遮水シート２を下層遮水シート２ａと上層遮水シート２ｂとによる複層としてそれらの間に中間保護シート３ｂを積層したが、図８〜図９に示すように遮水シート２を単層として上記実施形態における中間保護シート３ｂを省略しても良い。また、上記実施形態は法面への適用例であるが、水平な底面に対しても同様に適用できることは言うまでもない。
【図面の簡単な説明】
【００２２】
【図１】本発明が対象としている廃棄物処分場の一例を示す概要図である。
【図２】本発明の固定構造の一実施形態を示すもので、図１におけるII部の拡大図である。
【図３】同、施工手順を示すもので、下地層上に保護シートおよび遮水シートを積層した状態を示す図である。
【図４】同、遮水シートと保護シートの端部を固定プレートにより固定した状態を示す図である。
【図５】同、固定部を保護モルタル層により被覆した完成状態を示す図である。
【図６】本発明の展張施工方法の実施形態を示すもので、施工済みの各シートを保護モルタル層の手前側で切断した状態を示す図である。
【図７】同、切断した各シートに他のシートを接続して展張した後の完成状態を示す図である。
【図８】本発明の固定構造の他の実施形態を示す図である。
【図９】同、展張後の完成状態を示す図である。
【符号の説明】
【００２３】
１  遮水層
２  遮水シート
２ａ  下層遮水シート
２ｂ  上層遮水シート
３  保護シート
３ａ  下層保護シート
３ｂ  中間保護シート
３ｃ  上層保護シート
４  下地層
５  固定プレート
６  コンクリート釘
７  保護モルタル層
８  切欠部
【図１】
2006198585.tif 000003
【図２】
2006198585.tif 000004
【図３】
2006198585.tif 000005
【図４】
2006198585.tif 000006
【図５】
2006198585.tif 000007
【図６】
2006198585.tif 000008
【図７】
2006198585.tif 000009
【図８】
2006198585.tif 000010
【図９】
2006198585.tif 000011